(57)【特許請求の範囲】
【請求項１】
半割り保持器の長手方向数カ所に設けられるポケットそれぞれにころを遊嵌状態に収容してなる半割り軸受のころ保持用カバーであって、
ころを収容した半割り保持器の外面側を受け止めるほぼ半円筒部材からなる、ことを特徴とする半割り軸受のころ保持用カバー。
【請求項２】
半割り保持器の長手方向数カ所に設けられるポケットそれぞれにころを遊嵌状態に収容してなる半割り軸受のころ保持用カバーであって、
ころを収容した半割り保持器の外面側を受け止める弾性変形可能なほぼ半円筒部材からなり、かつ、その長手方向一端側に延長部分が設けられているとともに、その幅方向中間に長手方向一端側の途中より長手方向他端に至る長さのスリットが設けられている、ことを特徴とする半割り軸受のころ保持用カバー。
【請求項３】
半割り保持器の長手方向数カ所に設けられるポケットそれぞれにころを遊嵌状態に収容してなる半割り軸受のころ保持用カバーであって、
ころを収容した半割り保持器の外面側を受け止めるほぼ半円筒部材からなり、かつ、その長手方向両端に径方向外向きのフランジが設けられているとともに、半円領域の幅方向中間にその長手方向ほぼ全域に至る長さのスリットが設けられている、ことを特徴とする半割り軸受のころ保持用カバー。
【請求項４】
請求項１ないし３のころ保持用カバーのいずれか一つと、このころ保持用カバーの内面側に配置されかつ長手方向数カ所にポケットを有する半割り保持器と、半割り保持器の各ポケットに遊嵌状態に収容される複数のころと、ころをポケット内に粘着力で保持させる粘着剤とを有する、ことを特徴とする半割り軸受。
【請求項５】
軸体とそれに挟み付けられる２つ割り環体との間に１つの半割り軸受を組み付ける方法であって、
請求項２のころ保持用カバーを有する半割り軸受を、それぞれ２つ割り環体のそれぞれの半円形凹部に嵌め合わせ、
この２つ割り環体のそれぞれを軸体の外周面に対して挟むようにあてがいつつ、ころ保持用カバーの長手方向一端を２つ割り環体の突き合わせ部分に挟む状態とし、
２つ割り環体の突き合わせ部分に挟んでいるころ保持用カバーの長手方向一端部分を径方向外向きに引き抜くことにより、軸体と２つ割り環体との間に、半割り保持器ところとを残す、ことを特徴とする半割り軸受の組み付け方法。
【請求項６】
軸体とそれに挟み付けられる２つ割り環体との間に１つの半割り軸受を組み付ける方法であって、
２つ割り環体の片側の半円形凹部を軸体の外周面の半分の領域に非接触であてがうとともに、請求項３のころ保持用カバーを有する半割り軸受を軸体の外周面の残り半分に対してあてがい、
ころ保持用カバーのスリットから指あるいは治具を介して半割り保持器およびころを周方向一方へ送り出すことにより、この半割り保持器およびころを２つ割り環体の片側と軸体との対向空間に押し込む、ことを特徴とする半割り軸受の組み付け方法。
【発明の詳細な説明】
【０００１】
【発明の属する技術分野】
本発明は、半割り軸受を、軸体と２つ割り環体との間に組み付けるときに用いられるころ保持用カバー、それを有する半割り軸受、ならびに半割り軸受の組み付け方法に関する。この半割り軸受の使用用途としては、例えばクランクシャフトに対するコネクティングロッドの結合部分や、シリンダブロックに対するクランクシャフトの支持部分などが挙げられる。
【０００２】
【従来の技術】
例えば図７に示すように、クランクシャフト１とコネクティングロッド２との結合部分には、２つの半割り軸受３，３を装着するようにしている。この半割り軸受３，３としては、ケージアンドローラと呼ばれる内・外輪無しの軸受が用いられる。コネクティングロッド２の大端部２ａと軸受キャップ２ｂとでクランクシャフト１を挟み、軸受キャップ２ｂを大端部２ａに対してボルト２ｃにより取り付けられる。
【０００３】
この半割り軸受３については、半割り保持器４の各ポケット（図示省略）に対してころ５を径方向内外に脱落するように遊嵌状態で収容される。というのは、半割り保持器４のポケット４ａにころ５の脱落を防止する突片（図示省略）を設けているような構造だと、この突片がころ５の周面に形成される潤滑油膜をかきとることがあり、焼き付き寿命を短くするおそれがあるからである。
【０００４】
【発明が解決しようとする課題】
ところで、上述したように、従来例では、半割り保持器４のポケットにころ５を拘束させる状態にしていない関係より、半割り軸受３の出荷搬送過程や、使用対象への組み付け作業過程において、保持器４のポケットにグリースを塗布しているけれども、ころ５が簡単に脱落することが避けられず、出荷搬送時にはかなり面倒な梱包を施す必要があり、また、組み付け作業時にはころ１つ１つがばらけないようにする手間がかなり面倒であるなど、改良の余地がある。
【０００５】
したがって、本発明は、半割り軸受の出荷搬送時や組み付け作業時の取り扱いを容易とするころ保持用カバーならびに半割り軸受の提供を目的としている。また、本発明は、半割り軸受を簡単な作業でもって組み付けできるようにする方法の提供を目的としている。
【０００６】
【課題を解決するための手段】
本発明の第１のころ保持用カバーは、半割り保持器の長手方向数カ所に設けられるポケットそれぞれにころを遊嵌状態に収容してなる半割り軸受のころ保持カバーであって、ころを収容した半割り保持器の外面側を受け止めるほぼ半円筒部材からなる。
【０００７】
本発明の第２のころ保持用カバーは、半割り保持器の長手方向数カ所に設けられるポケットそれぞれにころを遊嵌状態に収容してなる半割り軸受のころ保持カバーであって、ころを収容した半割り保持器の外面側を受け止める弾性変形可能なほぼ半円筒部材からなり、かつ、その長手方向一端側に延長部分が設けられているとともに、その幅方向中間に長手方向一端側の途中より長手方向他端に至る長さのスリットが設けられている。
【０００８】
本発明の第３のころ保持用カバーは、半割り保持器の長手方向数カ所に設けられるポケットそれぞれにころを遊嵌状態に収容してなる半割り軸受のころ保持カバーであって、ころを収容した半割り保持器の外面側を受け止めるほぼ半円筒部材からなり、かつ、その長手方向両端に径方向外向きのフランジが設けられているとともに、半円領域の幅方向中間にその長手方向ほぼ全域に至る長さのスリットが設けられている。
【０００９】
本発明の半割り軸受は、第１ないし第３のころ保持用カバーのいずれか一つと、このころ保持用カバーの内面側に配置されかつ長手方向数カ所にポケットを有する半割り保持器と、半割り保持器の各ポケットに遊嵌状態に収容される複数のころと、ころをポケット内に粘着力で保持させる粘着剤とを有する。
【００１０】
本発明の第１の半割り軸受の組み付け方法は、軸体とそれに挟み付けられる２つ割り環体との間に１つの半割り軸受を組み付ける方法であって、上記第２のころ保持用カバーを有する半割り軸受を、それぞれ２つ割り環体のそれぞれの半円形凹部に嵌め合わせ、この２つ割り環体のそれぞれを軸体の外周面に対して挟むようにあてがいつつ、ころ保持用カバーの長手方向一端を２つ割り環体の突き合わせ部分に挟む状態とし、２つ割り環体の突き合わせ部分に挟んでいるころ保持用カバーの長手方向一端部分を径方向外向きに引き抜くことにより、軸体と２つ割り環体との間に、半割り保持器ところとを残すようにするものである。
【００１１】
本発明の第２の半割り軸受の組み付け方法は、軸体とそれに挟み付けられる２つ割り環体との間に１つの半割り軸受を組み付ける方法であって、２つ割り環体の片側の半円形凹部を軸体の外周面の半分の領域に非接触であてがうとともに、上記第３のころ保持用カバーを有する半割り軸受を軸体の外周面の残り半分に対してあてがい、ころ保持用カバーのスリットから指あるいは治具を介して半割り保持器およびころを周方向一方へ送り出すことにより、この半割り保持器およびころを２つ割り環体の片側と軸体との対向空間に押し込むようにするものである。
【００１２】
要するに、第１〜第３のころ保持用カバーでは、半割り保持器とそのポケットに遊嵌状態で収容されるころとを受け止めて非分離とする。これにより、半割り保持器からころがばらけ落ちないようになる。また、このとき、半割り保持器ところ保持用カバーとの間にグリースなどを塗布してから、ころを取り付けるようにすれば、グリースの粘着力によって半割り保持器のポケットに対してころが強く拘束されるようになる。特に、第２のころ保持用カバーは、上記第１の組み付け方法に利用でき、また、第３のころ保持用カバーは、上記第２の組み付け方法に利用できる。
【００１３】
また、本発明の半割り軸受では、ころ保持用カバーで半割り保持器のポケットに遊嵌状態で収容されるころを受け止めさせて、粘着剤でころを半割り保持器のポケットに非分離に保持させるようにしている。これにより、多少の振動が加わっても保持器からころがばらけないようになり、例えば出荷搬送時の梱包が簡単に行えるようになるとともに、使用対象に対する組み付け作業が簡単かつ迅速に行えるようになる。
【００１４】
さらに、第１、第２の組み付け方法では、ころ１つ１つが脱落しない状態を保つための取り扱いがきわめて簡単になり、また、簡単な操作でもって軸体と２つ割り環体との間に半割り保持器ところを組み付けることができる。
【００１５】
【発明の実施の形態】
本発明の詳細を図１ないし図６に示す各実施形態に基づいて説明する。
【００１６】
図１ないし図３は本発明の実施形態１にかかり、図１は、半割り軸受の分解斜視図、図２は、半割り軸受の組立状態を示す側面図、図３は、半割り軸受の組み付け手順を説明するための図である。図中、３は半割り軸受の全体であり、４は半割り保持器、５はころ、６はころ保持用カバーである。
【００１７】
半割り保持器４は、その長手方向数カ所に長方形のポケット４ａが設けられている。このポケット４ａは、ころ５の外形寸法よりも大きく設定されており、ころ５が径方向内外に抜け出るようになっている、
ころ保持用カバー６は、弾性変形可能な材料、例えばポリプロピレンや塩化ビニルなどの合成樹脂からなるほぼ半円筒部材とされ、その長手方向一端側が延長されて半円よりも所要量長く設定されているとともに、その幅方向中間に長手方向一端側の途中より長手方向他端に至る長さのスリット６ａが設けられている。このころ保持用カバー６は、半割り保持器４の外面側を受け止める大きさに設定されている。  そして、このころ保持用カバー６の半円形凹部を上向きとし、その内面側に半割り保持器４を載せ、この半割り保持器４の各ポケット４ａに対してころ５を１つずつはめ込む。このとき、半割り保持器４ところ保持用カバー６との間にグリースやワックスなどの粘着剤を塗布しておく。つまり、ころ保持用カバー６によってころ５が半割り保持器４のポケット４ａから下向きに抜け落ちるのが阻止されることになり、また、粘着剤の粘着力によって半割り保持器４のポケット４ａにころ５が保持されることになる。このような状態にて、出荷搬送される。そのため、出荷搬送時に多少の振動や衝撃が加わったとしても、ころ５が半割り保持器４から脱落してばらけることがなくなり、梱包などを簡単に行えるようになる。
【００１８】
次に、上記半割り軸受３を使用対象に対して組み付けるときの手順について、図３を用いて説明する。
【００１９】
まず、図３（ａ）に示すように、コネクティングロッド２の大端部２ａの半円形凹部と、大端部２ａにボルト止めされる軸受キャップ２ｂの半円形凹部とに対して、それぞれ半割り軸受３をころ保持用カバー６ごと嵌め合わせる。このとき、ころ５はころ保持用カバー６と半割り保持器４との対向部分に存在する粘着剤の粘着力により保持されるので、脱落することがない。なお、コネクティングロッド２を逆さにして大端部２ａの半円形凹部を上向きにしておくのが好ましい。
【００２０】
このコネクティングロッド２の大端部２ａの半円形凹部を図示省略のシリンダブロックに支持させているクランクシャフト１の周面の上半分にあてがうとともに、軸受キャップ２ｂをクランクシャフト１の周面の下半分にあてがう。このとき、両方のころ保持用カバー６，６の長手方向一端側を折り曲げて大端部２ａと軸受キャップ２ｂとで挟み、大端部２ａと軸受キャップ２ｂとの端面からころ保持用カバー６，６の端縁を突出させるようにする。
【００２１】
この状態にて、両ころ保持用カバー６の突出している端縁部分を掴み、図３（ｂ）に示すように、矢印方向に引き抜く。これにより、クランクシャフト１と大端部２ａ，軸受キャップ２ｂとの各間に、半割り保持器４ところ５とが残る。このとき、ころ保持用カバー６が軟質な素材からなるので、ころ保持用カバー６が湾曲状態から徐々に変形させられて平坦に延ばされながら引き抜かれるようになる。ころ保持用カバー６は、取り外された後、元の形状に弾性的に復元される。なお、ころ保持用カバー６のスリット６ａは、粘着剤の塗布面積が過大にならないように調整するために設けられており、前述の引き出し動作を比較的容易とするためのものである。
【００２２】
このようにしてころ保持用カバー６，６を引き抜いてから、図３（ｃ）に示すように、ボルト２ｃを軸受キャップ２ｂ側から大端部２ａ側へ向けてねじ込むことにより、作業を終了する。なお、ころ保持用カバー６を引き抜く前に、一方のボルト２ｃのみを軸受キャップ２ｂ側から大端部２ａ側へ向けて所要量だけねじ込み、軸受キャップ２ｂを大端部２ａに仮止めするようにしてもよい。
【００２３】
以上説明したように、組み付けの過程でころ５が脱落することがないので、半割り軸受３の取り扱いがきわめて簡単になり、組み付け作業を簡単かつ迅速に行うことができる。このため、例えば半割り軸受３を交換するような場合についても、作業を簡単に行うことができるなど、メインテナンス性も改善できる。
【００２４】
図４ないし図６は本発明の実施形態２にかかり、図４は、半割り軸受の分解斜視図、図５は、半割り軸受の組立状態を示す側面図、図６は、半割り軸受の組み付け手順を説明するための図である。
【００２５】
この実施形態２において上記実施形態１と異なる構成は、ころ保持用カバー６の形状である。
【００２６】
つまり、ころ保持用カバー６は、半円筒部材とされ、かつその長手方向両端に径方向外向きに延出するフランジ６ｂ，６ｂが設けられているとともに、フランジ６ｂ，６ｂを除く部分の幅方向両側に径方向内向きに突出する壁部６ｃ，６ｃが設けられている。また、このころ保持用カバー６は、弾性変形しない材料としてもよい。
【００２７】
そして、スリット６ａは、フランジ６ｂ，６ｂを除いた部分の長手方向ほぼ全長に設けられている。このスリット６ａは、上記実施形態１で説明した粘着力調整に利用される他に、下記するような組み付け時の押し出し操作の指入れに利用される。
【００２８】
この実施形態２の組み付け手順を説明する。まず、図６（ａ）に示すように、コネクティングロッド２の大端部２ａの半円形凹部を図示省略のシリンダブロックに支持させているクランクシャフト１の周面の上半分にあてがい、このコネクティングロッド２の大端部２ａの半円形凹部に対して、半割り軸受３をころ保持用カバー６ごと向き合わせるようにあてがう。この状態において、ころ保持用カバー６のスリット６ａから露出する半割り保持器４およびころ５を、指あるいは治具などでもって図６（ａ）の矢印の方向に送り出すことにより、図６（ｂ）に示すように、半割り保持器４およびころ５を大端部２ａとクランクシャフト１との間の対向空間へ押し込む。
【００２９】
一方、図６（ｃ）に示すように、コネクティングロッド２の大端部２ａにねじ止めされる軸受キャップ２ｂの半円形凹部を下向きにして、半割り軸受３のころ保持用カバー６の内面を向き合わせるようにあてがい、前述と同様にして半割り保持器４およびころ５を軸受キャップ２ｂの半円形凹部へ移動させる。
【００３０】
この後、図６（ｄ）に示すように、半割り保持器４およびころ５を装着した軸受キャップ２ｂをクランクシャフト１の下半分にあてがい、ボルト２ｃを軸受キャップ２ｂ側から大端部２ａ側へ向けてねじ込むことにより、作業を終了する。
【００３１】
この実施形態２でも、上記実施形態１と同様、組み付けの過程でころ５が脱落することがないので、半割り軸受３の取り扱いがきわめて簡単になり、組み付け作業を簡単かつ迅速に行うことができる。
【００３２】
【発明の効果】
請求項１ないし３の発明のころ保持用カバーは、半割り保持器とそのポケットに遊嵌状態で収容されるころとを受け止めて非分離にするものであるから、半割り保持器からころがばらけ落ちるのを防止することができる。また、半割り保持器ところ保持用カバーとの間にグリースなどを塗布しておいて、ころを取り付けるようにすれば、グリースの粘着力によって半割り保持器のポケットに対してころを強く拘束させることができるようになり、半割り軸受の出荷搬送時の梱包を簡単にできるようになるとともに、使用対象に対する組み付け作業を簡単かつ迅速に行うことができるようになる。
【００３３】
請求項４の発明の半割り軸受は、ころ保持用カバーで半割り保持器のポケットに遊嵌状態で収容されるころを受け止めさせて、粘着剤でころを半割り保持器のポケットに非分離に保持させるようにしているから、振動が加わっても保持器からころがばらけ落ちないようになり、例えば出荷搬送時の梱包を簡単に行うことができるとともに、使用対象に対する組み付け作業を簡単かつ迅速に行うことができるようになる。
【００３４】
請求項５，６の発明の組み付け方法では、ころ１つ１つが脱落しない状態を保つための取り扱いがきわめて簡単になり、また簡単な操作で軸体と２つ割り環体との間に半割り保持器ところを簡単かつ迅速に組み付けることができるようになる。
【図面の簡単な説明】
【図１】本発明の実施形態１の半割り軸受の分解斜視図
【図２】実施形態１の半割り軸受の組立状態を示す側面図
【図３】実施形態１の半割り軸受の組み付け手順を説明するための図
【図４】本発明の実施形態２の半割り軸受の分解斜視図
【図５】実施形態２の半割り軸受の組立状態を示す側面図
【図６】実施形態２の半割り軸受の組み付け手順を説明するための図
【図７】半割り軸受の使用状態の一例を示す側面図
【符号の説明】
１      クランクシャフト
２      コネクティングロッド
２ａ    コネクティングロッドの大端部
２ｂ    大端部に装着される軸受キャップ
３      半割り軸受
４      半割り保持器
４ａ    半割り保持器のポケット
５      ころ
６      ころ保持用カバー
６ａ    スリット
【図１】
0003625010.tif 000002
【図２】
0003625010.tif 000003
【図３】
0003625010.tif 000004
【図４】
0003625010.tif 000005
【図５】
0003625010.tif 000006
【図６】
0003625010.tif 000007
【図７】
0003625010.tif 000008